(57)【要約】【課題】直射日光を適度に遮ることによって眩しさや暑さを緩和できるとともに板ガラスとスペーサーとの接着が剥がれにくい複層ガラスを提供することである。【解決手段】本発明の複層ガラスは、複数枚の板ガラスと、前記板ガラスの周辺部に接着され、各板ガラスの間隔を一定に保持するスペーサーを備えてなる複層ガラスであって、各板ガラスの間に形成された中空層の少なくとも1つに複数個の透光性を有する小片が充填されてなることを特徴とする。【選択図】図１
2005067935.tif 000002
【特許請求の範囲】
【請求項１】
複数枚の板ガラスと、前記板ガラスの周辺部に接着され、各板ガラスの間隔を一定に保持するスペーサーを備えてなる複層ガラスであって、各板ガラスの間に形成された中空層の少なくとも1つに複数個の透光性を有する小片が充填されてなることを特徴とする複層ガラス。
【請求項２】
透光性を有する小片の平均粒径が０．５〜７ｍｍであることを特徴とする請求項１に記載の複層ガラス。
【請求項３】
透光性を有する小片の形状が球状、または、粒状であることを特徴とする請求項１または２に記載の複層ガラス。
【請求項４】
透光性を有する小片がガラス、シリカゲル、および樹脂からなる群より選ばれた一種または二種以上の材料からなることを特徴とする請求項１〜３のいずれかに記載の複層ガラス。
【発明の詳細な説明】
【技術分野】
【０００１】
本発明は、建築材料として使用される複層ガラスに関するものである。
【背景技術】
【０００２】
近年、建築物の形状や装飾の形態が多様化していることに伴って、種々のガラス物品が建築物の採光用の部材や装飾用の部材として使用されるようになってきている。採光用の部材は建築物の開口部に使用され、建築物の内部に光を取り入れるだけでなく、圧迫感を取り除く役割を果たしている。そのようなガラス物品の中には、二枚の板ガラスと、板ガラスの周辺部に設けて板ガラスの間隔を一定に保持するスペーサーとを用い、スペーサーと板ガラスの端縁とを接着して板ガラスの間に空気を密封してなる複層ガラスがあり、直射日光を適度に遮ることによって眩しさや暑さを緩和できるように、板ガラスの間にガラス不織布を圧接封入した複層ガラスが記載されている(例えば、特許文献１参照。)。
【０００３】
また、良好な断熱性能および透光性能を安価に得る目的で、多数の小径で透光性のガラス管を積層してなるガラス管集合体が透光性断熱材として実質的に板ガラスの全幅および全高にわたって板ガラスの間に充填され、ガラス管の中空部が板ガラスの構面と直交する方向に配向された複層ガラスが記載されている(例えば、特許文献２参照。)。
【特許文献１】特開平９−３２８３３９号公報
【特許文献２】特開２００１−２２６１５１号公報
【発明の開示】
【発明が解決しようとする課題】
【０００４】
しかし、特許文献１に記載の複層ガラスは、ガラス不織布によって光が散乱され、透光不透視となり直射日光を適度に遮ることによって眩しさや暑さを緩和できるもののガラス不織布がズレたり、しわになったりすることを防止するために圧接封入する必要があり、封入された不織布が戻ることで板ガラスの間に引き離す力が加わるため板ガラスとスペーサーとの接着が剥がれやすくなるという問題を有していた。
【０００５】
また、特許文献２に記載の複層ガラスは、板ガラスに対して垂直な方向からの光を散乱させることができないという問題を有していた。
【０００６】
本発明の目的は、上記事情に鑑みてなされたものであり、透光不透視となるとともに板ガラスとスペーサーとの接着が剥がれにくい複層ガラスを提供することである。
【課題を解決するための手段】
【０００７】
本発明者は、鋭意検討を行なった結果、複層ガラスの板ガラスと板ガラスの間に存在する中空層に複数個の透光性を有する小片を配設すると、光が小片の表面で散乱されて透光不透視とすることができるとともに、二枚のガラス板の間に引き離す力が加わりにくいことを見出し、本発明を提案するものである。
【０００８】
すなわち、本発明の複層ガラスは、複数枚の板ガラスと、前記板ガラスの周辺部に接着され、各板ガラスの間隔を一定に保持するスペーサーを備えてなる複層ガラスであって、各板ガラスの間に形成された中空層の少なくとも1つに複数個の透光性を有する小片が充填されてなることを特徴とする。
【発明の効果】
【０００９】
本発明の複層ガラスは、複数枚の板ガラスと、前記板ガラスの周辺部に接着され、各板ガラスの間隔を一定に保持するスペーサーを備えてなる複層ガラスであって、各板ガラスの間に形成された中空層の少なくとも1つに複数個の透光性を有する小片が充填されてなるため、光が透光性を有する小片の表面で散乱されて透光不透視となり、直射日光を適度に遮ることによって眩しさや暑さを緩和できるとともに、採光性を有しながら人物や物体を明瞭に視認することができない、いわゆるプライバシー性を有する。また、圧接封入する必要がないため板ガラスとスペーサーとの接着が剥がれにくい。
【００１０】
また、本発明の複層ガラスは、複数個の透光性を有する小片によって音波のエネルギーが吸収されるため遮音性能に優れる。
【００１１】
また、本発明の複層ガラスは、一方の外表面に位置する板ガラスが衝撃を受けても、中空層に配設されてなる複数個の透光性を有する小片に衝撃が吸収されるため、板ガラスの破損を抑制することができ、また、仮にその板ガラスが破損したとしても複数個の透光性を有する小片によって衝撃が吸収されるため他方の板ガラスの破損が抑制でき、貫通孔の発生を抑制することができる。
【発明を実施するための最良の形態】
【００１２】
本発明の複層ガラスは、透光性を有する小片の平均粒径が０．５〜７ｍｍ、好ましくは１〜６．５ｍｍであると、光を散乱することによって透光不透視となりやすいとともに、中空層に充填された透光性を有する小片の集合体によって凹凸が形成され、板ガラスを通して見えるため奥ゆきのある立体感を得やすい。透光性を有する小片の平均粒径が０．５ｍｍよりも小さいと、奥ゆきのある立体感が得られにくいとともに透光性が得られにくく、７ｍｍよりも大きいと光を充分に散乱することができず透光不透視となりにくい。なお、透光性を有する小片は、形状が球状、粒状、棒状または鱗片状であってもよいが、特に球状や粒状であると奥ゆきのある立体感が得られやすいとともに、スペーサーに設けられた孔から充填することが容易であるという利点もある。なお、注入後にはシーリング材を用いて孔が封じるため透光性を有する小片が流出することがない。
【００１３】
本発明の複層ガラスは、中空層の容積に対して透光性を有する小片が５０体積％以上、好ましくは８０体積％以上、より好ましくは９０体積％以上充填されていると、透光不透視となりやすいため好ましい。
【００１４】
本発明の複層ガラスは、透光性を有する小片として、ガラス、シリカゲルおよび樹脂からなる群より選ばれた１種または二種以上の材料からなると好ましい。
【００１５】
ガラスは、屈折率が高く、光を散乱させやすいため透光不透視となりやすいとともに、耐候性に優れるため変色したり、ひび割れたりせず外観が損なわれにくい。ガラスとしては、ソーダ石灰ガラス、アルミノアルカリ石灰ガラス、ホウケイ酸ガラス、アルミノホウケイ酸ガラス等が使用可能である。
【００１６】
また、シリカゲルは、乾燥剤として働くため中空層に結露が生じにくく、結露に起因するカビ等の発生や、板ガラス中からアルカリイオンが溶出して起こる白濁の発生を長期間にわたって抑制できるため外観が損なわれにくい。
【００１７】
また、樹脂としては、ポリカーボネート樹脂、アクリル樹脂、ポリスチレン樹脂等が使用可能である。
【００１８】
透光性を有する小片は、青色、緑色、黄色、赤色等に着色されていても無色であっても良く、それらを混合して使用しても構わない。
【００１９】
本発明の複層ガラスは、板ガラスがソーダ石灰ガラス、アルミノアルカリ石灰ガラス、またはホウケイ酸ガラスからなると、板ガラスに傷がつきにくいとともに、耐候性に優れるため外観が損なわれにくく好ましい。なお、板ガラスは、着色されていても構わない。また、板ガラスの表面に、ＩＴＯ膜のような熱線反射膜や、反射防止膜などの機能性膜材料が形成されていても構わない。
【００２０】
スペーサーとしては、ポリエチレンテレフタレート樹脂、ポリカーボネート樹脂、ポリプロピレン樹脂等の樹脂、シリコーンゴム、ＥＰＤＭゴム、クロロプレンゴム等のゴム、および、アルミ合金、ステンレス等の金属が使用可能である。
【００２１】
本発明の複層ガラスは、板ガラスとスペーサーを接着するためにシリコーン系接着剤、エポキシ系接着剤、アクリル系接着剤等の接着剤が使用可能である。
【実施例】
【００２２】
以下、実施例を用いて本発明の複層ガラスを詳細に説明する。
【００２３】
図１は、実施例１の複層ガラスを示す断面図である。
【００２４】
［実施例１］
図１に示すように、複層ガラス１０（６００×９００×１６ｍｍ）は、二枚のフロート板ガラス（６００×９００×５ｍｍ）１１、１１が対向するように配設されており、二枚の板ガラス１１、１１の周辺部１１ａ、１１ａの間には幅が６ｍｍのシリコーンゴム製のスペーサー１２が配設されており、板ガラス１１とスペーサー１２はシリコーン系の接着剤（図示せず）によって接着されてあり、二枚の板ガラス１１、１１とスペーサー１２によって包囲された中空層１３には、粒径が２〜４ｍｍ（平均粒径３ｍｍ）の複数個の球状のガラス粒１４、１４…が充填されている。なお、ガラス粒１４は、組成が質量％でＳｉＯ2  ７０％、Ａｌ2Ｏ3  ５％、Ｂ2Ｏ3  １４％、ＣａＯ  ０．５％、ＢａＯ  １．５％、Ｎａ2Ｏ  ７％、Ｋ2Ｏ  ２％のホウケイ酸ガラスからなる。
【００２５】
［実施例２］
中空層１３に複数個の球状のシリカゲル（大江化学工業株式会社製  シリカゲルＳＦ）が充填されている以外は、実施例１と同様に構成されている。なお、シリカゲルの粒径は１〜６ｍｍであり、平均粒径は３ｍｍであった。
【００２６】
ガラス粒またはシリカゲルの平均粒径は、ノギスを用いて任意に選んだ５０個の直径を測定し、それらの平均値を算出したものである。
【００２７】
以上のように、実施例１および２の複層ガラスは、光が中空層に充填されている複数個のガラス粒や球状のシリカゲルによって散乱されるため透光不透視となり直射日光を適度に遮ることによって眩しさや暑さを緩和することができたとともにプライバシー性を有していた。
【００２８】
また、ガラス粒や球状のシリカゲルが適度な粒径を有しているため、それらの集合体によって凹凸が形成されて奥ゆきのある立体感を有していた。
【００２９】
さらに、実施例２の複層ガラスは、シリカゲルが乾燥剤として働くため中空層に長期間にわたって結露が発生しなかった。
【産業上の利用可能性】
【００３０】
以上のように、本発明の複層ガラスは、光が散乱されて透光不透視となり直射日光を適度に遮ることによって眩しさや暑さを緩和できるとともにプライバシー性を有し、また、奥ゆきのある立体感を有することもできるためパーティション、窓材等に好適である。
【図面の簡単な説明】
【００３１】
【図１】実施例１の複層ガラスを示す断面図である。
【符号の説明】
【００３２】
１０    複層ガラス
１１    板ガラス
１１ａ    周辺部
１２    スペーサー
１３    中空層
１４    ガラス粒
【図１】
2005067935.tif 000003